(57)【要約】【課題】信号配線の帰路電流経路の良否を正確に判定できる帰路電流経路チェックシステムを提供する。【解決手段】この帰路電流経路チェックシステム１は、基板レイアウト情報に基づいて、信号配線のうちの帰路電流経路に迂回が生じる部分を帰路電流経路未確定部として抽出し（Ｓ１〜Ｓ４）、帰路電流経路未確定部に対して最短の迂回経路を抽出し（Ｓ５）、迂回経路の迂回の程度を示す迂回指数を算出し（Ｓ６）、迂回指数が基準値よりも小さいか否かに基づいて、帰路電流経路未確定部が帰路電流経路を有するか否かを判定する（Ｓ７）。したがって、信号配線の帰路電流経路の良否を正確に判定できる。【選択図】図４
2011043981.tif 000002
【特許請求の範囲】
【請求項１】
プリント配線基板における信号配線およびグランド電極のレイアウトに関する情報を含む基板レイアウト情報を記憶する記憶部と、
前記基板レイアウト情報に基づいて、前記信号配線のうちの帰路電流経路に迂回が生じる部分を帰路電流経路未確定部として抽出する第１の抽出部と、
前記基板レイアウト情報に基づいて、前記帰路電流経路未確定部に対して最短の迂回経路を抽出する第２の抽出部と、
前記迂回経路の迂回の程度を示す迂回指数を算出する算出部と、
前記迂回指数が予め定められた基準値よりも小さい場合は、前記帰路電流経路未確定部は帰路電流経路を有すると判定し、前記迂回指数が前記基準値よりも大きい場合は、前記帰路電流経路未確定部は帰路電流経路を有さないと判定する判定部とを備える、帰路電流経路チェックシステム。
【請求項２】
前記信号配線が第１の導体層に形成され、前記グランド電極が前記第１の導体層の上側または下側に隣接する第２の導体層に形成されている場合、前記帰路電流経路未確定部は前記信号配線と前記グランド電極が上下に重なっていない部分であり、
前記信号配線と前記グランド電極が同じ導体層に形成されている場合、前記帰路電流経路未確定部は前記信号配線と前記グランド電極が近接していない部分である、請求項１に記載の帰路電流経路チェックシステム。
【請求項３】
前記迂回指数は前記迂回経路の長さである、請求項１または請求項２に記載の帰路電流経路チェックシステム。
【請求項４】
前記迂回経路の長さは、前記迂回経路が通る導体層により重み付けされている、請求項３に記載の帰路電流経路チェックシステム。
【請求項５】
前記迂回指数は、前記信号配線と前記迂回経路で囲まれた領域の面積である、請求項１または請求項２に記載の帰路電流経路チェックシステム。
【請求項６】
前記基準値は、前記信号配線に与えられる信号の周波数に応じて設定されている、請求項１から請求項５までのいずれかに記載の帰路電流経路チェックシステム。
【請求項７】
さらに、前記判定部の判定結果を出力する出力部を備える、請求項１から請求項６までのいずれかに記載の帰路電流経路チェックシステム。
【請求項８】
プリント配線基板における信号配線およびグランド電極のレイアウトに関する情報を含む基板レイアウト情報に基づいて、前記信号配線のうちの帰路電流経路に迂回が生じる部分を帰路電流経路未確定部として抽出する第１のステップと、
前記帰路電流経路未確定部に対して最短の迂回経路を抽出する第２のステップと、
前記迂回経路の迂回の程度を示す迂回指数を算出する第３のステップと、
前記迂回指数が予め定められた基準値よりも小さい場合は、前記帰路電流経路未確定部は帰路電流経路を有すると判定し、前記迂回指数が前記基準値よりも大きい場合は、前記帰路電流経路未確定部は帰路電流経路を有さないと判定する第４のステップとを含む、帰路電流経路チェック方法。
【請求項９】
さらに、前記第４のステップにおける判定結果を出力する第５のステップを含む、請求項８に記載の帰路電流経路チェック方法。
【請求項１０】
請求項９に記載の帰路電流経路チェック方法によってチェックされた、電子機器。
【発明の詳細な説明】
【技術分野】
【０００１】
この発明は帰路電流経路チェックシステム、帰路電流経路チェック方法、および電子機器に関し、特に、プリント配線基板における信号配線の帰路電流経路の良否をチェックする帰路電流経路チェックシステムと、帰路電流経路チェック方法と、その方法によってチェックされた電子機器に関する。
【背景技術】
【０００２】
近年、電子回路の動作速度の高速化に伴い、プリント配線基板上の信号配線に流れる信号電流に起因する不要輻射ノイズが問題となっている。不要輻射ノイズ増加の一要因として、帰路電流経路の迂回がある。すなわち、信号配線に信号電流が流れた場合、必ず信号電流の近傍に帰路電流が流れる。このとき、不要輻射ノイズを増加させないためには、信号配線経路と、帰路電流経路とで構成されるループを小さくすることが必要である。
【０００３】
従来、帰路電流経路をチェックする際には、信号配線の隣接層や同層のグランド電極にスリット（切り欠き部）がある場合、そのスリットによって帰路電流経路がどの程度迂回しているかを判断する必要があった。
【０００４】
この方法に対し、下記の特許文献１では、帰路電流経路を幾何学的に算出している。すなわち、信号配線の幅を拡大した領域とグランド領域とが重なる領域の連続性を判断し、連続である場合は、信号配線の幅を拡大した領域とグランド領域とが重なる領域内で帰路電流経路を求め、連続でない場合は不連続箇所と判断する。このように算出した帰路電流経路と不連続箇所数から、帰路電流経路の良否を判定する。
【先行技術文献】
【特許文献】
【０００５】
【特許文献１】特開２００３−１９６３４０号公報
【発明の概要】
【発明が解決しようとする課題】
【０００６】
しかし、特許文献１では、信号配線の幅を拡大した領域とグランド領域が重なった領域内のみで帰路電流経路を探索し、領域外に帰路電流経路が存在する場合は不連続箇所と判断する。また、不連続箇所については、信号配線の幅を拡大した領域の幅をさらに拡大し、迂回経路を探索するか、迂回経路の長さを大きな一定値と判断する。そして、帰路電流経路長および迂回経路長の和と信号配線長との比で帰路電流経路の良否を評価する。このため、信号配線長が短い場合は、帰路電流の迂回経路が短いときでも帰路電流経路を否と判断し、帰路電流経路を正しく評価できないと言う問題があった。
【０００７】
それゆえに、この発明の主たる目的は、信号配線の帰路電流経路の良否を正確に判定することが可能な帰路電流経路チェックシステム、帰路電流経路チェック方法および電子機器を提供することである。
【課題を解決するための手段】
【０００８】
この発明に係る帰路電流経路チェックシステムは、プリント配線基板における信号配線およびグランド電極のレイアウトに関する情報を含む基板レイアウト情報を記憶する記憶部と、基板レイアウト情報に基づいて、信号配線のうちの帰路電流経路に迂回が生じる部分を帰路電流経路未確定部として抽出する第１の抽出部と、基板レイアウト情報に基づいて、帰路電流経路未確定部に対して最短の迂回経路を抽出する第２の抽出部と、迂回経路の迂回の程度を示す迂回指数を算出する算出部と、迂回指数が予め定められた基準値よりも小さい場合は、帰路電流経路未確定部は帰路電流経路を有すると判定し、迂回指数が基準値よりも大きい場合は、帰路電流経路未確定部は帰路電流経路を有さないと判定する判定部とを備えたものである。
【０００９】
好ましくは、信号配線が第１の導体層に形成され、グランド電極が第１の導体層の上側または下側に隣接する第２の導体層に形成されている場合、帰路電流経路未確定部は信号配線とグランド電極が上下に重なっていない部分である。また、信号配線とグランド電極が同じ導体層に形成されている場合、帰路電流経路未確定部は信号配線とグランド電極が近接していない部分である。
【００１０】
また好ましくは、迂回指数は迂回経路の長さである。
また好ましくは、迂回経路の長さは、迂回経路が通る導体層により重み付けされている。
【００１１】
また好ましくは、迂回指数は、信号配線と迂回経路で囲まれた領域の面積である。
また好ましくは、基準値は、信号配線に与えられる信号の周波数に応じて設定されている。
【００１２】
また好ましくは、さらに、判定部の判定結果を示す信号を出力する出力部を備える。
また、この発明に係る帰路電流経路チェック方法は、プリント配線基板における信号配線およびグランド電極のレイアウトに関する情報を含む基板レイアウト情報に基づいて、信号配線のうちの帰路電流経路に迂回が生じる部分を帰路電流経路未確定部として抽出する第１のステップと、帰路電流経路未確定部に対して最短の迂回経路を抽出する第２のステップと、迂回経路の迂回の程度を示す迂回指数を算出する第３のステップと、迂回指数が予め定められた基準値よりも小さい場合は、帰路電流経路未確定部は帰路電流経路を有すると判定し、迂回指数が基準値よりも大きい場合は、帰路電流経路未確定部は帰路電流経路を有さないと判定する第４のステップとを含む。
【００１３】
好ましくは、さらに、第４のステップにおける判定結果を示す信号を出力する第５のステップを含む。
【００１４】
また、この発明に係る電子機器は、上記帰路電流経路チェック方法によってチェックされたものである。
【発明の効果】
【００１５】
この発明に係る帰路電流経路チェックシステムおよび方法では、基板レイアウト情報に基づいて、信号配線のうちの帰路電流経路に迂回が生じる部分を帰路電流経路未確定部として抽出し、帰路電流経路未確定部に対して最短の迂回経路を抽出し、迂回経路の迂回の程度を示す迂回指数を算出し、迂回指数が予め定められた基準値よりも小さい場合は、帰路電流経路未確定部は帰路電流経路を有すると判定し、迂回指数が基準値よりも大きい場合は、帰路電流経路未確定部は帰路電流経路を有さないと判定する。したがって、信号配線の帰路電流経路の良否を正確に判定することができる。
【図面の簡単な説明】
【００１６】
【図１】この発明の一実施の形態による帰路電流経路チェックシステムの構成を示すブロック図である。
【図２】チェック対象の基板のレイアウトを例示する図である。
【図３】図２に示した基板に含まれる２つの導体層を示す図である。
【図４】図１に示した帰路電流経路チェックシステムの動作を示すフローチャートである。
【図５】図４に示した迂回指数を説明するための図である。
【図６】実施の形態の変更例を示す図である。
【発明を実施するための形態】
【００１７】
本発明の一実施の形態である帰路電流経路チェックシステム１は、たとえば図示しない従来のコンピュータシステムによって構成される。このコンピュータシステムは、たとえば半導体メモリあるいはハードディスク装置などの記憶装置と、記憶装置に記憶されるプログラムを実行するＣＰＵ（Central Processing Unit）と、マウスおよびキーボードなどの入力装置と、液晶ディスプレイなどの表示装置およびプリンタなどの印刷装置のうちの少なくとも１つを含んで構成される出力装置とを備えたものである。帰路電流経路チェック方法は、帰路電流経路チェックシステム１で処理される。
【００１８】
このようなコンピュータシステムによって構成された帰路電流経路チェックシステム１は、図１に示すように、基板レイアウト情報記憶部２、帰路電流経路チェック部３、および結果出力部９を備える。
【００１９】
基板レイアウト情報記憶部２は、基板設計ＣＡＤ（Computer Aided Design）によって設計された基板図データに含まれる基板レイアウト情報を記憶する。基板レイアウト情報は、プリント配線基板に形成される信号配線およびグランド電極のレイアウト情報を含む。具体的には、基板レイアウト情報は、基板情報、部品情報、部品端子情報、配線情報、および配線経路情報を含む。基板情報は、基板の層構成、形状、および各層の情報などを含む。各層の情報は、たとえば絶縁材の厚み、材質の電気特性（たとえば比誘電率）などを含む。部品情報は、部品番号、部品端子数などの情報を含む。部品端子情報は、端子番号、端子座標などの情報を含む。配線情報は、配線名、動作回路の周波数、および接続端子番号などの情報を含む。配線経路情報は、配線番号、配線形成層、経路の始点、終点、屈曲点の座標などの情報を含む。
【００２０】
帰路電流経路チェック部３は、重なり近傍抽出部４、帰路電流経路未確定抽出部５、迂回経路抽出部６、迂回指数算出部７、および迂回経路判定部８を含む。重なり近傍抽出部４は、基板レイアウト情報に基づいて、帰路電流経路確定部を抽出する。信号配線が第１の導体層に形成され、グランド電極が第１の導体層の上側または下側に隣接する第２の導体層に形成されている場合、信号配線とグランド電極が上下に重なっている部分が帰路電流経路確定部として抽出される。信号配線とグランド電極が同じ導体層に形成されている場合、信号配線とグランド電極とが互いに近傍に形成されている部分が帰路電流経路確定部として抽出される。
【００２１】
帰路電流経路未確定抽出部５は、重なり近傍検出部４によって抽出された帰路電流経路確定部に基づいて、信号配線のうちの帰路電流経路確定部以外の部分を帰路電流経路未確定部として抽出する。迂回経路抽出部６は、基板レイアウト情報に基づいて、帰路電流未確定抽出部５によって抽出された帰路電流経路未確定部に対して、最短の帰路電流迂回経路を抽出する。
【００２２】
迂回指数算出部７は、迂回経路抽出部６によって抽出された帰路電流迂回経路の長さを示す迂回指数を算出する。迂回経路判定部８は、迂回指数算出部７によって算出された迂回指数と予め定められた迂回基準値とを比較し、迂回指数が迂回基準値よりも小さい場合、帰路電流経路未確定部は帰路電流経路を有すると判定し、迂回指数が迂回基準値より大きい場合、帰路電流経路未確定部は帰路電流経路を有さないと判定する。結果出力部９は、帰路電流経路未確定部のうちの帰路電流経路を有さないと判定された部分を示す情報を表示装置（図示せず）に出力する。表示装置は、たとえば、帰路電流経路未確定部のうちの帰路電流経路を有さないと判定された部分の画像を表示する。
【００２３】
図２は、図１に示した帰路電流経路チェックシステム１によってチェックされるプリント配線基板１０のレイアウトを例示する図である。プリント配線基板１０は、図３（ａ）（ｂ）に示すように、上下に隣接する２つの導体層１１，１２を含む。２つの導体層１１，１２間には、絶縁層（図示せず）が設けられている。上側の導体層１１には、信号配線１３が形成されている。信号配線１３は、図中の上下方向に延在する上端部１３ａおよび下端部１３ｃと図中の左右方向に延在する中央部１３ｂとを含む。信号配線１３の上端Ｐ１と下端Ｐ１０の間には、信号電流が流される。
【００２４】
信号配線１３の下端部１３ｃの一方側の近傍にガード配線１４が形成され、信号配線１３の下端部１３ｃの他方側の近傍にガード配線１５が形成されている。信号配線１３の下端部１３ｃと信号配線１４，１５の各々とは、所定の間隔を開けて互いに平行に配置されている。ガード配線１４の一方端はスルーホールＴＨ１に接続され、その他方端はスルーホールＴＨ２に接続されている。ガード配線１５の一方端はスルーホールＴＨ３に接続され、その他方端はスルーホールＴＨ４に接続されている。ガード配線１４，１５には、スルーホールＴＨ１〜ＴＨ４を介して接地電圧ＧＮＤが印加される。
【００２５】
下側の導体層１２には、グランド電極１６が形成されている。グランド電極１６は、導体層１２の略全面に形成され、接地電圧ＧＮＤを受ける。グランド電極１６には、複数（図では３つ）のスリット（切り欠き部）１７〜１９が設けられている。スリット１７〜１９の各々は、帯状に形成されている。スリット１７は信号配線１３の上端部１３ａの上部と交差し、スリット１８は信号配線１３の上端部１３ａの下部と交差している。スリット１７は長く、スリット１８は短い。スリット１９は、配線１３〜１５と交差している。
【００２６】
信号配線１３とスリット１７の上辺および下辺と交差する位置をそれぞれＰ２，Ｐ３とする。信号配線１３とスリット１８の上辺および下辺と交差する位置をそれぞれＰ４，Ｐ５とする。信号配線１３のガード配線１４，１５の上端に対向する位置をＰ６とする。信号配線１３とスリット１９の上辺および下辺と交差する位置をそれぞれＰ７，Ｐ８とする。信号配線１３のガード配線１４，１５の下端に対向する位置をＰ９とする。
【００２７】
図４は、図１に示した帰路電流経路チェック部３の動作を示すフローチャートである。図４において、ステップＳ１では、キーボードなどの入力装置によって、チェック対象の信号配線を選定する。図２に示した基板１０では、信号配線１３を選定する。
【００２８】
ステップＳ２では、重なり近傍抽出部４によって帰路電流経路確定部を抽出する。すなわち、重なり近傍抽出部４は、信号配線が第１の導体層に形成され、グランド電極が第１の導体層の上側または下側に隣接する第２の導体層に形成されている場合、信号配線とグランド電極が上下に重なっている部分を帰路電流経路確定部として抽出する。また、重なり近傍抽出部４は、信号配線とグランド電極が同じ導体層に形成されている場合、信号配線とグランド電極とが互いに近傍に形成されている部分を帰路電流経路確保部として抽出する。
【００２９】
たとえば図２に示した基板１０では、信号配線１３は区間Ｐ１〜Ｐ２，Ｐ３〜Ｐ４，Ｐ５〜Ｐ７，Ｐ８〜Ｐ１０において隣接層１２のグランド電極１６と重なっている。また、信号配線１３の区間Ｐ６〜Ｐ９において、信号配線１３の同層１１の近傍にグランド部であるガード配線１４，１５が形成されている。したがって、信号配線１３のうちの区間Ｐ１〜Ｐ２，Ｐ３〜Ｐ４，Ｐ５〜Ｐ１０の部分を帰路電流経路確保部として抽出する。
【００３０】
なお、区間Ｐ７〜Ｐ８では信号配線１３は隣接層１２のグランド電極１６とは重なっていないが、信号配線１３の同層１１の近傍にグランド電極部（ガード配線１４，１５）があるので、信号配線１３の区間Ｐ７〜Ｐ８の部分も帰路電流経路確保部として抽出している。
【００３１】
ステップＳ３では、信号配線のうちの帰路電流経路確定部以外の部分を帰路電流経路未確定部として抽出する。たとえば図２に示した基板１０では、信号配線１３のうちの区間Ｐ２〜Ｐ３，Ｐ４〜Ｐ５の２つの部分を帰路電流経路未確定部として抽出する。
【００３２】
ステップＳ４では、帰路電流経路未確定部を一つ選定する。たとえば図２に示した基板１０では、区間Ｐ２〜Ｐ３，Ｐ４〜Ｐ５の２つの部分の中から一つ選定する。以降は、区間Ｐ２〜Ｐ３の部分を選定したものとして説明する。
【００３３】
ステップＳ５では、ステップＳ４で選定された帰路電流経路未確定部の最短の迂回経路を抽出する。たとえば図２に示した基板１０では、区間Ｐ２，Ｐ３間の最短の迂回経路２０を抽出する。迂回経路２０は、位置Ｐ２からスリット２０の左側の部分の周りを迂回する経路である。
【００３４】
ステップＳ６では、迂回経路の迂回指数を算出し、ステップＳ７では、迂回指数と迂回基準値とを比較し、迂回経路の良否を判定する。不要輻射ノイズは帰路電流経路に迂回が生じると増加する。不要輻射ノイズ発生の原因の一つとして、信号配線、グランド電極、およびスリットがスロットアンテナのように振る舞うことが挙げられる。
【００３５】
すなわち図５（ａ）〜（ｃ）では、基板３０は、上下に隣接する２つの導体層３１，３２を含む。導体層３１，３２間には、絶縁層が設けられている。導体層３１には、図中の上下方向に延在する信号配線３３が形成されている。導体層３２には、グランド電極３４が形成されている。グランド電極３４は、導体層３２の略全面に形成され、接地電圧ＧＮＤを受ける。グランド電極３４には、図中の横方向に延在するスリット３５が形成されている。信号配線３３とスリット３５は、十字状に直交している。信号配線３３、グランド電極３４、およびスリット３５はスロットアンテナを構成する。
【００３６】
スロットアンテナは、１／４波長がスリット３５の長さに等しい周波数で共振し、共振周波数の不要輻射ノイズを発生する。したがって、たとえば、迂回指数を迂回経路長とし、迂回基準値をＥＭＩ規格の上限周波数である１ＧＨｚの１／４波長に相当する長さとしてもよい。たとえば図２に示した基板１０では、区間Ｐ２〜Ｐ３の迂回経路２０の長さ迂回指数として算出し、迂回指数が迂回基準値以下の場合は、帰路電流経路未確定部である区間Ｐ２〜Ｐ３の部分は帰路電流経路を有すると判定する。また、迂回指数が迂回基準値より大きい場合は、帰路電流経路未確定部である区間Ｐ２〜Ｐ３の部分は帰路電流経路を有さないと判定する。
【００３７】
ステップＳ８では、チェック対象の信号配線の全ての帰路電流経路未確定部について帰路電流経路の有無をチェックしたか否かを判定する。すべての帰路電流経路未確定部をチェックしている場合は、帰路電流経路チェック処理を終了し、すべての帰路電流経路未確定部をチェックしていない場合は、ステップＳ４に戻る。
【００３８】
この実施の形態では、以上のような処理によって、帰路電流経路の有無を正しく評価することができる。したがって、設計者は不要輻射ノイズの少ない基板レイアウトを作成することができる。
【００３９】
なお、この実施の形態では、迂回経路長を迂回指数としたが、迂回の程度を示す他のパラメータを迂回指数としてもよい。たとえば、不要輻射ノイズが大きくなる場合、信号配線と帰路電流経路で形成されるループが大きい場合が挙げられる。すなわち図６に示すように、送信回路４０と受信回路４２の間に信号配線４１が形成され、受信回路４２と送信回路４０の間に帰路電流経路４３が存在する場合に、信号配線４１と帰路電流経路４３で形成されるループ４４が大きい場合である。
【００４０】
信号配線４１と帰路電流経路４３の間の距離、すなわち信号配線４１が形成されている導体層と帰路電流経路４３が形成される導体層との間の距離が大きくなると、ループ４４の面積が大きくなる。したがって、たとえば、迂回指数を迂回経路長として算出する際、信号配線が形成された導体層と帰路電流が流れるグランド電極の導体層との間の距離に応じて迂回指数が大きくなるように、迂回経路が通る導体層によって迂回経路の長さに重みを付けてもよい。
【００４１】
また、信号配線に信号が流れた場合のディファレンシャル放射ノイズは、次式（１）で算出することができる。
Ｅｄ＝１．３２×１０−１４×ｆ２×Ｓ×Ｉｄ／ｒ  ［Ｖ／ｍ］      …（１）
ここで、Ｅｄ［Ｖ／ｍ］は電界強度であり、ｆ［Ｈｚ］は信号配線に流れる信号の周波数であり、Ｓ［ｍ２］は信号配線経路と帰路電流経路で形成されるループの面積であり、Ｉｄ［Ａ］は信号配線に流れる電流量であり、ｒ［ｍ］は信号配線からの距離である。
【００４２】
上式（１）には信号配線経路と帰路電流経路で形成されるループの面積Ｓの項が含まれており、ループ面積Ｓが大きくなればなるほど、電界強度すなわち不要輻射ノイズが増加することが分かる。したがって、迂回指数および迂回基準値を迂回経路面積としてもよい。たとえば図２に示した基板１０では、区間Ｐ２〜Ｐ３間の迂回経路２０と信号配線１３とで囲まれた迂回領域２１の面積を迂回指数とし、迂回指数が迂回基準値以下の場合は、帰路電流経路未確定部である区間Ｐ２〜Ｐ３の部分は帰路電流経路を有すると判定する。迂回指数が迂回基準値より大きい場合は、帰路電流経路未確定部である区間Ｐ２〜Ｐ３の部分は帰路電流経路を有さないと判定する。
【００４３】
さらに、上式（１）には信号配線に流れる信号の周波数ｆの２乗の項が含まれており、信号の周波数が高くなればなるほど、電界強度すなわち不要輻射ノイズが急増することが分かる。したがって、迂回基準値を、信号の周波数に反比例もしくは信号の周波数の２乗に反比例する値としてもよい。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４５】
１  帰路電流経路チェックシステム、２  基板レイアウト情報記憶部、３  帰路電流経路チェック部、４  重なり近傍抽出部、５  帰路電流経路未確定抽出部、６  迂回経路抽出部、７  迂回指数算出部、８  迂回経路判定部、９  結果出力部、１０，３０  プリント配線基板、１１，１２，３１，３２  導体層、１３，３３，４１  信号配線、１４，１５  ガード配線、ＴＨ  スルーホール、１６，３４  グランド電極、１７〜１９，３５  スリット、２０  迂回経路、２１  迂回領域、４０  送信回路、４２  受信回路、４３  帰路電流経路、４４  ループ。
【図１】
2011043981.tif 000003
【図２】
2011043981.tif 000004
【図３】
2011043981.tif 000005
【図４】
2011043981.tif 000006
【図５】
2011043981.tif 000007
【図６】
2011043981.tif 000008